(57)【要約】  透光カバー１０の内側には、透光カバー１０の中心側Ｃから透光カバー１０の内面１１側に偏倚した位置に、光源２２を一面に実装した基板２１、載置板３０、載置板３０を支持する支持部４０を配置してある。また、光源２２が透光カバー１０の中心側Ｃに向くように基板２１を配置してある。そして、載置板３０の基板２１を載置する載置部３２を、支持部４０が載置板３０を支持する側部よりも透光カバー１０の中心側Ｃに配置してある。
2014050336.tif 000002
【特許請求の範囲】
【請求項１】
光源を実装した基板と、前記基板が載置される載置板と、前記基板及び載置板を内設した筒状の透光カバーとを備える光源装置において、
前記透光カバーに装着され、前記載置板と前記透光カバーとの間に間隔を設けるように前記載置板を支持する支持部を備え、
前記支持部は、
前記光源が位置する中央部が、両端部に対し前記透光カバーの中心方向に突出していることを特徴とする光源装置。
【請求項２】
光源を実装した基板と、前記基板が載置される載置板と、前記基板及び載置板を内設した筒状の透光カバーとを備える光源装置において、
前記透光カバーに装着され、前記載置板と前記透光カバーとの間に間隔を設けるように前記載置板を支持する支持部を備え、
前記載置板は、
前記基板の載置部が、該載置部の端部から延設した側部に対し前記透光カバーの中心方向に突出するように前記支持部に支持されていることを特徴とする光源装置。
【請求項３】
前記載置板は、
前記基板が載置される載置部と、該載置部の端部から延設した側部を有し、
前記支持部は、
前記側部を前記両端部で支持することを特徴とする請求項１に記載の光源装置。
【請求項４】
前記支持部は、
前記透光カバーの内面側に位置する曲板と、
該曲板及び前記載置板の間の空間を仕切る仕切り板とを有することを特徴とする請求項１から請求項３までのいずれか１項に記載の光源装置。
【請求項５】
前記透光カバーは、
内面に該透光カバーの長手方向に沿って配された突部を備え、
前記曲板は、
前記突部に嵌合する嵌合孔を形成してあることを特徴とする請求項４に記載の光源装置。
【発明の詳細な説明】
【技術分野】
【０００１】
本発明は、光源を実装した基板と、基板が載置される載置板と、基板及び載置板を内設した筒状の透光カバーとを備える光源装置に関する。
【背景技術】
【０００２】
近年、発光ダイオード（ＬＥＤ）の高輝度化に伴い、白熱電球や蛍光灯などの光源に代えて、低消費電力、長寿命等の特性を有するＬＥＤが光源として照明装置などに用いられるようになりつつある。【０００３】
例えば、直管形の蛍光ランプの代替品として、白色ＬＥＤを基板上に実装し、両端に口金を設けた円筒状の透光カバーで基板を覆った直管形のＬＥＤランプ（光源装置）が製品化されている。【０００４】
また、円筒状のケース内に、長矩形状の光源基板と、光源基板の長手方向に沿って延びる細長ブロック状の放熱部材とを備えたＬＥＤランプが開示されている（特許文献１参照）。
【先行技術文献】
【特許文献】
【０００５】
【特許文献１】特開２０１０−１２３３５９号公報
【発明の概要】
【発明が解決しようとする課題】
【０００６】
しかしながら、特許文献１のＬＥＤランプにあっては、放熱部材は、ケース（透光カバー）の中心軸からケースの内面側へ偏倚してあり、放熱部材はケースの内面と近接させた状態で配置してある。このため、光源基板等で発生した熱が放熱部材に伝導すると、ケースの放熱部材と近接した近接部分の温度が、ケースの放熱部材が近接していない部分（例えば、ケースの中心軸に対して近接部分と反対側の部分）の温度よりも高くなり、ケースの温度上昇が不均一となって、熱膨張の違いによりケースに反りが生じるという問題がある。【０００７】
本発明は斯かる事情に鑑みてなされたものであり、透光カバーの反りを防止することができる光源装置を提供することを目的とする。
【課題を解決するための手段】
【０００８】
本発明に係る光源装置は、光源を実装した基板と、前記基板が載置される載置板と、前記基板及び載置板を内設した筒状の透光カバーとを備える光源装置において、前記透光カバーに装着され、前記載置板と前記透光カバーとの間に間隔を設けるように前記載置板を支持する支持部を備え、前記支持部は、前記光源が位置する中央部が、両端部に対し前記透光カバーの中心方向に突出していることを特徴とする。【０００９】
本発明に係る光源装置は、光源を実装した基板と、前記基板が載置される載置板と、前記基板及び載置板を内設した筒状の透光カバーとを備える光源装置において、前記透光カバーに装着され、前記載置板と前記透光カバーとの間に間隔を設けるように前記載置板を支持する支持部を備え、前記載置板は、前記基板の載置部が、該載置部の端部から延設した側部に対し前記透光カバーの中心方向に突出するように前記支持部に支持されていることを特徴とする。【００１０】
本発明に係る光源装置は、前記載置板は、前記基板が載置される載置部と、該載置部の端部から延設した側部を有し、前記支持部は、前記側部を前記両端部で支持することを特徴とする。【００１１】
本発明に係る光源装置は、前記支持部は、前記透光カバーの内面側に位置する曲板と、該曲板及び前記載置板の間の空間を仕切る仕切り板とを有することを特徴とする。【００１２】
本発明に係る光源装置は、前記透光カバーは、内面に該透光カバーの長手方向に沿って配された突部を備え、前記曲板は、前記突部に嵌合する嵌合孔を形成してあることを特徴とする。
【発明の効果】
【００１３】
本発明によれば、透光カバーの反りを防止することができる。
【図面の簡単な説明】
【００１４】
【図１】実施の形態１の光源装置の外観の一例を示す平面図である。
【図２】実施の形態１の光源装置の構成の一例を示す断面図である。
【図３】実施の形態１の基板の構成の一例を示す平面図である。
【図４】実施の形態１の載置板の断面図である。
【図５】実施の形態１の載置板の平面図である。
【図６】実施の形態１の支持部の構成の一例を示す断面図である。
【図７】実施の形態１の支持部の構成の一例を示す平面図である。
【図８】実施の形態１の支持部の構成の一例を示す底面図である。
【図９】実施の形態２の光源装置の構成の一例を示す断面図である。
【図１０】実施の形態３の光源装置の構成の一例を示す断面図である。
【図１１】実施の形態４の光源装置の構成の一例を示す断面図である。
【発明を実施するための形態】
【００１５】
（実施の形態１）
以下、本発明をその実施の形態を示す図面に基づいて説明する。図１は実施の形態１の光源装置１００の外観の一例を示す平面図であり、図２は実施の形態１の光源装置１００の構成の一例を示す断面図である。本実施の光源装置１００は、例えば、従来の４０Ｗ型の直管蛍光ランプの代替品である直管ランプであり、照明装置本体（灯具）に設けられたランプソケット（不図示）に装着される。なお、ワット（Ｗ）数は、４０Ｗに限定されるものではなく、２０Ｗ、１００Ｗなど他のワット数でもよい。
【００１６】
光源装置１００は、両端に口金１、２を設け、円筒状の透光カバー１０を備える。透光カバー１０の内側には、後述のように、基板、載置板、支持部などを備える。
【００１７】
透光カバー１０は、耐候性と透明性に優れ、光の取り出し効率が高い合成樹脂であり、例えば、ポリカーボネートを用いることができる。透光カバー１０（ポリカーボネート）の熱膨張係数は、例えば、７０ｐｐｍ／℃である。
【００１８】
図２に示すように、透光カバー１０の内側には、透光カバー１０の中心側Ｃ（例えば、透光カバー１０の中心軸でもよい）から透光カバー１０の内面１１側に偏倚した位置に、光源２２を一面に実装した基板２１、載置板３０、載置板３０を支持する支持部４０を配置してある。なお、以下の実施の形態において、透光カバー１０の中心側Ｃは、透光カバー１０の中心軸のみならず、中心軸の近傍（例えば、透光カバー１０の内径の約半分程度の径で囲まれる空間）を意味する。
【００１９】
また、光源２２の発光方向が透光カバー１０の中心側Ｃに向くように基板２１を配置してある。すなわち、光源２２が実装された基板２１の一面を透光カバー１０の中心側Ｃに向けるように基板２１を配置してある。
【００２０】
透光カバー１０は、内面１１に透光カバー１０の長手方向に沿って配された突部１２を備える。突部１２の端部には、拡幅の挟部１３を設けてある。突部１２の断面形状は、略Ｔ字状をなす。
【００２１】
図３は実施の形態１の基板２１の構成の一例を示す平面図である。図３は基板２１の一面、すなわち光源（ＬＥＤモジュール）２２が実装された面から見た状態を示す。基板２１は、長方形状をなし、基板２１の中央に一列に複数の光源２２を実装してある。基板２１の材質は、アルミニウムでもよく、樹脂製の基板２１を用いてもよい。なお、光源２２の基板２１状の配置は、図３の例で限定されるものではなく、例えば、基板２１の長手方向に沿って２列又は３列等に並べて実装してもよい。また、基板２１は、透光カバー１０の長さに応じて、複数個長手方向に配置することもできる。また、光源２２は、白色系のＬＥＤモジュールであり、例えば、昼光色の光を放出することができる。
【００２２】
図４は実施の形態１の載置板３０の断面図であり、図５は実施の形態１の載置板３０の平面図である。図５は基板２１を載置する載置面側から見た様子を示す。図４、図５に示すように、載置板３０は、例えば、アルミ又は鉄等の金属製の板部材であり、熱伝導板として機能する。載置板３０を構成する材料は上記金属製の材料に限定されず、セラミックス等他の熱伝導性が良好な材料で構成してもよい。すなわち、載置板３０は、光源（ＬＥＤモジュール）２２からの熱が伝導されるものである。また、載置板３０は、基板２１を載置する載置部３２と、載置部３２の長辺側から傾斜させて延設した側板３１とを備える。すなわち、側板３１は、載置板３０の長辺側の側部である。なお、図４、図５等の例では、側板３１は、載置部３２の両方の長辺側から延設しているが（側板３１は２つとなる）、載置部３２の一方のみの長辺側から延設した構成であってもよい。この場合には、側板３１は１つとなる。なお、側板３１は載置部３２に対して傾斜させずに載置部３２の端部から垂直に屈曲した形状であってもよい。
【００２３】
載置板３０は、長方形状であり、載置部３２の長さは基板２１の長さ（複数の基板２１の場合には、複数の基板２１の長さの合計）と同程度であり、載置部３２の幅は基板２１の幅よりも若干幅広にしてある。
【００２４】
側板３１の縁部には、載置部３２と略平行になるように屈曲させた屈曲部３１１を形成してある。屈曲部３１１は、載置板３０の側部の一部を構成する。なお、図５に示すように、載置部３２の所望の箇所に配線等を通すための配線孔３２１を設けることもできる。
【００２５】
図６は実施の形態１の支持部４０の構成の一例を示す断面図であり、図７は実施の形態１の支持部４０の構成の一例を示す平面図であり、図８は実施の形態１の支持部４０の構成の一例を示す底面図である。支持部４０は、合成樹脂製であり、例えば、ＰＢＴ（ポリブチレンテレフタレート）を用いて、押出成形により製作することができる。なお、支持部４０の材質は、ＰＢＴに限定されるものではなく、成形しやすく耐熱性に優れたものであれば、他の材質のものを用いることができる。また、支持部４０は熱伝導性の低い材料からなることが好ましい。
【００２６】
支持部４０は、載置板３０と同程度の長さ及び幅を有する。支持部４０は、透光カバー１０の内面１１側に位置し、内面１１に当接する曲板４１と、曲板４１から延設され、載置板３０の側板３１に当接する両端部又は端部としての側板当接板４２と、側板当接板４２から延設し、載置板３０の載置部３２との間で基板２１を嵌め込む嵌込板４３と、載置板３０の側板３１（特に、屈曲部３１１）を側板当接板４２との間で嵌合する仕切板４４とを備える。すなわち、支持部４０は、透光カバー１０の内面１１に沿って湾曲した曲板４１を有し、曲板４１が透光カバー１０の内面１１と当接した状態で支持部４０が透光カバー１０に装着される。
【００２７】
嵌込板４３には光源２２を露出させるための開口４５を支持部４０の長手方向に沿って形成してある。開口４５の幅は、基板２１に実装した光源２２の発光面を嵌込板４３から露出させることができる程度の寸法にしてある。すなわち、光源が位置する中央部は、光源２２が嵌め込まれる開口４５を有する嵌込板４３であり、両端部である側板当接板４２に対し透光カバー１０の中心方向に突出した構成となっている。なお、光源が位置する中央部は、開口４５を有する嵌込板４３に限定されるものではなく、光源が位置する中央部に載置板を設ける構成でもよい。すなわち、基板２１を、開口４５を有しない嵌込板４３（中央部）の上面に設けることもできる。この場合には、光源２２が嵌め込むための開口は不要である。また、当該載置板の形状は、限定されるものではなく、平板形状でもよい。
【００２８】
支持部４０は、透光カバー１０の内面側に位置する曲板４１と、曲板４１及び載置板３０の間の空間を仕切る仕切板４４とを有する。仕切板４４は、曲板４１の対向する端部間に橋設してある。仕切板４４により、曲板４１、側板当接板４２及び嵌込板４３で囲まれる空間を複数（本実施の形態では２つ）の空間に分離することができる。
【００２９】
また、図６、図８に示すように、曲板４１の中央には、長手方向に沿って嵌合孔４６を形成してある。嵌合孔４６に、前述の透光カバー１０の突部１２を嵌合させることにより支持部４０を透光カバー１０内に装着することができる。
【００３０】
本実施の形態の光源装置１００の組立は以下のようにして行うことができる。光源２２を実装した基板２１と載置板３０の載置部３２とを当接させた状態で、載置板３０を、支持部４０の側板当接板４２、嵌込板４３及び仕切板４４で囲まれる空間に支持部４０の長手方向の端から挿入する。この場合、載置板３０の屈曲部３１１は、側板当接板４２と仕切板４４との間に嵌合し、載置板３０の側板３１は、支持部４０の側板当接板４２に当接して位置決めされ、載置板３０は支持部４０により、上下左右のいずれの方向にも移動が規制され、載置板３０は支持部４０に確実に固定される。
【００３１】
載置板３０が支持部４０に固定されることにより、基板２１は、載置板３０と嵌込板４３との間に嵌め込まれ、基板２１も載置板３０に固定された状態となる。すなわち、開口４５を通じて光源２２を露出させ、基板２１を、載置板３０の載置部３２と支持部４０の嵌込板４３との間に嵌め込むことができるので、載置板３０を固定しつつ基板２１も載置板３０に固定することができる。なお、基板２１に接続された配線は、載置板３０の配線孔３２１を通して支持部４０の内側を通すことができる。
【００３２】
基板２１及び載置板３０が固定された支持部４０を、透光カバー１０の端から挿入する。この場合、突部１２と嵌合孔４６との位置を合わせて、突部１２に嵌合孔４６を嵌合させた状態で曲板４１を透光カバー１０の長手方向に摺動させることができる。
【００３３】
透光カバー１０内に基板２１及び載置板３０が固定された支持部４０を装着した状態で、基板２１に接続された配線を口金１、２の端子に接続し、口金１、２と透光カバー１０とを連結することにより、光源装置１００を組み立てることができる。上述のように、突部１２に嵌合孔４６を嵌合させた状態で曲板４１を透光カバー１０の長手方向に摺動させるだけで、支持部４０を透光カバー１０内に装着することができ、光源装置１００の組み立てを容易にすることができる。
【００３４】
上述のように、載置板３０の基板２１との載置部３２（例えば、当接面）を、支持部４０が載置板３０を支持する側部（例えば、側板３１の屈曲部３１１）よりも透光カバー１０の中心側Ｃに配置してある。すなわち、載置板３０の載置部３２を、透光カバー１０に装着された支持部４０で支持される載置板３０の側部よりも透光カバー１０の中心側Ｃに配置することで、載置板３０の載置部３２を透光カバー１０の内面１１から離して中心側に配置することができ、透光カバー１０の内面１１（例えば、突部１２が設けられた部分又は当該部分の近傍）と載置板３０との間隔を広くすることができるので、載置板３０の熱が透光カバー１０の内面１１（例えば、曲板４１と当接する部分など）に伝わりにくくなる。このため、透光カバー１０の載置板３０及び基板２１が配置された部分（図２の符号Ｅで示す部分）と、当該部分以外の部分（例えば、透光カバー１０の中心側Ｃに対して当該部分と反対側の部分、すなわち、図２の符号Ｆで示す部分）との温度上昇の差を少なくし、透光カバー１０の温度上昇が不均一となることを抑制して、透光カバー１０に反りが生じることを防止することができる。
【００３５】
また、図２に示すように、光源２２を一面に実装した基板２１との載置部３２を、支持部４０で支持される載置板３０の側部（例えば、側板３１の屈曲部３１１）よりも透光カバー１０の中心側Ｃに配置することで、光源２２から基板２１の一面に平行な方向、あるいは基板２１より後方（基板２１の光源２２を実装している面の反対側）へ放射される光が妨げられないので、効率よく光を透光カバー１０から外部へ放射することができ、配光を広げることもできる。
【００３６】
また、支持部４０は、透光カバー１０に装着され、載置板３０と透光カバー１０との間に間隔を設けるように載置板３０を支持する。そして、支持部４０は、光源２２が位置する中央部が、両端部（側板当接板４２）に対し透光カバー１０の中心方向に突出している。すなわち、支持部４０の嵌込板４３（光源２２が位置する中央部）を、側板当接板４２よりも透光カバー１０の中心側Ｃに配置することで、嵌込板４３を透光カバー１０の内面１１から離して中心側に配置することができ、透光カバー１０の内面１１（例えば、突部１２が設けられた部分又は当該部分の近傍）と嵌込板４３との間隔を広くすることができるので、載置板３０の熱が透光カバー１０の内面１１（例えば、曲板４１と当接する部分など）に伝わりにくくなる。このため、透光カバー１０の載置板３０及び基板２１が配置された部分（図２の符号Ｅで示す部分）と、当該部分以外の部分（例えば、透光カバー１０の中心側Ｃに対して当該部分と反対側の部分、すなわち、図２の符号Ｆで示す部分）との温度上昇の差を少なくし、透光カバー１０の温度上昇が不均一となることを抑制して、透光カバー１０に反りが生じることを防止することができる。また、支持部４０の嵌込板４３（光源２２が位置する中央部）を、側板当接板４２よりも透光カバー１０の中心側Ｃに配置することで、光源２２から基板２１の一面に平行な方向、あるいは基板２１より後方（基板２１の光源２２を実装している面の反対側）へ放射される光が妨げられないので、効率よく光を透光カバー１０から外部へ放射することができ、配光を広げることもできる。
【００３７】
また、図２に示すように、支持部４０は、載置部３２が側板３１よりも透光カバー１０の中心側Ｃになるように側板３１を支持する。載置部３２に対して傾斜させた側板３１を設けることにより、側板３１に相当する部分だけ載置部３２を透光カバー１０の中心側Ｃへ持ち上げる（近づける）ことができ、載置部３２を透光カバー１０の内面１１（例えば、突部１１が設けられた部分又は当該部分の近傍）から離して中心側に配置することができ、透光カバー１０の内面１１と載置板３０との間隔を広くすることができ、載置板３０の熱が透光カバー１０の内面１１（例えば、曲板４１と当接する部分など）に伝わりにくくすることができる。
【００３８】
また、図２に示すように、支持部４０の側板当接板４２が載置板３０の側板３１に当接するとともに、側板３１（特に、屈曲部３１１）を側板当接板４２と仕切板４４とで挟み込むようにして載置板３０の側板３１が支持部４０に嵌合される。これにより、載置板３０を透光カバー１０内で所要の配置状態で固定することができる。
【００３９】
また、図２に示すように、仕切板４４は、載置板３０と曲板４１との間の空間を複数（図２の例では２つ）の空間に分離する。すなわち、載置板３０と透光カバー１０の内面１１に当接する曲板４１との間の空間は、仕切板４４により２つの空間Ｓ１、Ｓ２に分離され、載置板３０と透光カバー１０との間には少なくとも空気層Ｓ１、Ｓ２が２層設けられるので、載置板３０の熱が透光カバー１０に伝わりにくくすることができ、透光カバー１０の載置板３０及び基板２１が配置された部分（例えば、曲板４１と当接する部分など）と、当該部分以外の部分（例えば、透光カバー１０の中心側Ｃに対して当該部分と反対側の部分、すなわち、図２の符号Ｆで示す部分）との温度上昇の差を少なくし、透光カバー１０の温度上昇を均等にすることができ、透光カバー１０の反りを一層防止することができる。
【００４０】
また、透光カバー１０は、曲板４１の嵌合孔４６近傍を内面１１との間で挟み込む挟部１３を突部１２に設けてある。挟部１３と内面１１とで曲板４１を挟み込むので、支持部４０の透光カバー１０への装着を一層確実にすることができる。また、支持部４０と透光カバー１０とを１か所でスライド嵌合させるので、光源装置の組み立てが容易となる。また、嵌合孔４６及び突部１２は、光源２２の光出射方向と反対側に位置しているので、支持部４０を透光カバー１０に装着するための部材で光源２２からの光を遮蔽することがない。
【００４１】
また、支持部４０は、合成樹脂製であり、載置板３０を透光カバー１０から離隔して支持してある。載置板３０が透光カバー１０に近接することなく離隔してあるので、載置板３０の熱を透光カバー１０に伝わりにくくすることができる。また、支持部４０を合成樹脂製とすることで、載置板３０の熱を透光カバー１０に伝わりにくくすることができ、透光カバー１０の温度上昇を均等にすることができる。
【００４２】
また、光源装置１００を組み立てる場合、上述のように嵌合機構を使用することにより、リベット又はネジ等の部材が不要となり、組立性能を改善することができる。
【００４３】
上述の実施の形態において、支持部４０を、例えば、高反射ＰＢＴを用いて製作することにより、光源２２から放射された光が透光カバー１０の内面１１で反射し、反射した光が支持部４０の側板当接板４２又は嵌込板４３へ入射する場合、入射光を側板当接板４２又は嵌込板４３でさらに反射させて、透光カバー１０から外部へ放射させることができる。これにより、透光カバー１０内での反射光を再利用して光源装置１００の発光効率などの光学性能を向上させることができる。また、支持部４０が反射部材を兼ねるので、別個の反射板（リフレクタ）などの部材が不要となり、また、反射板の取付工程も不要になることから、部品コストの低減、組立性能の向上、組立コストの低減などを図ることができる。
【００４４】
（実施の形態２）
図９は実施の形態２の光源装置１２０の構成の一例を示す断面図である。実施の形態１では、曲板４１の対向する端部間に仕切板４４を橋設した構成であったが、実施の形態２では、仕切板４４に代えて、嵌合板４７を備える。図９に示すように、嵌合板４７は、載置板３０の側板３１（特に、屈曲部３１１）を嵌合させるだけの隙間を、側板当接板４２との間に設けてあり、曲板４１の対向する端部間に橋設した構成ではない。この場合、支持部４０を押出成形で製作する際の材料を少なくすることができるとともに、光源装置１００を軽量化することができる。
【００４５】
（実施の形態３）
図１０は実施の形態３の光源装置１４０の構成の一例を示す断面図である。実施の形態３では、実施の形態１の載置板３０の屈曲部３１１及び支持部４０の嵌込板４３に相当する構成を具備しない。
【００４６】
図１０に示すように、載置板３０は、基板２１と当接する載置部３２と、載置部３２の長辺側から傾斜させて延設した側板３３とを備える。
【００４７】
また、支持部５０は、透光カバー１０の内面１１に当接する曲板５１と、曲板５１から延設され、載置板３０の側板３３に当接する側板当接板５２と、載置板３０の側板３３を側板当接板５２との間で嵌合する嵌合板５７とを備える。なお、嵌合板５７に代えて載置板３０と曲板５１との間を仕切る仕切り板を適用することも可能である。
【００４８】
載置板３０の側板３３を、側板当接板５２及び嵌合板５７の間に嵌合させることにより、載置板３０を支持部５０に固定することができる。また、基板２１は、例えば、接着剤等により載置板３０に固着することができる。
【００４９】
実施の形態３の光源装置１４０では、光源２２が実装された基板２１の実装面を支持部で覆われていないので、例えば、光源２２の寸法が小さく、光源２２から放射される光が基板２１の実装面上を進む場合でも、当該光を遮るものがないので、光源２２からの光を効率良く取り出すことができ、配光を広げることもできる。
【００５０】
また、支持部５０は、透光カバー１０に装着され、載置板３０と透光カバー１０との間に間隔を設けるように載置板３０を支持する。そして、載置板３０は、基板２１の載置部３２が、載置部３２の端部から延設した側部（例えば、側板３３）に対し透光カバー１０の中心方向に突出するように支持部５０に支持されている。
【００５１】
これにより、透光カバー１０の内面１１（例えば、突部１２が設けられた部分又は当該部分の近傍）と載置板３０（特に、載置部３２）との間隔を広くすることができるので、載置板３０の熱が透光カバー１０の内面１１（例えば、曲板５１と当接する部分など）に伝わりにくくなる。このため、透光カバー１０の載置板３０及び基板２１が配置された部分（図１０の符号Ｅで示す部分）と、当該部分以外の部分（例えば、透光カバー１０の中心側Ｃに対して当該部分と反対側の部分、すなわち、図１０の符号Ｆで示す部分）との温度上昇の差を少なくし、透光カバー１０の温度上昇が不均一となることを抑制して、透光カバー１０に反りが生じることを防止することができる。
【００５２】
また、図１０に示すように、光源２２を一面に実装した基板２１との載置部３２を、支持部５０で支持される載置板３０の側部（例えば、側板３３）よりも透光カバー１０の中心側Ｃに配置することで、光源２２から基板２１の一面に平行な方向、あるいは基板２１より後方（基板２１の光源２２を実装している面の反対側）へ放射される光が妨げられないので、効率よく光を透光カバー１０から外部へ放射することができ、配光を広げることもできる。
【００５３】
（実施の形態４）
図１１は実施の形態４の光源装置１６０の構成の一例を示す断面図である。実施の形態１では、支持部４０は、載置板３０の両方の側部を支持する構成であったが、実施の形態４の光源装置１６０は、支持部６０が載置板３０の一方のみの側部を支持する。
【００５４】
図１１に示すように、載置板３０は、基板２１と当接する載置部３２と、載置部３２の一方の長辺側のみから傾斜させて延設した側板３３とを備える。
【００５５】
また、支持部６０は、透光カバー１０の内面１１に当接する曲板６１と、曲板６１の一方の端部から延設され、載置板３０の側板３３に当接する側板当接板６２と、載置板３０の側板３３を側板当接板６２との間で嵌合する嵌合部６７とを備える。支持部６０が載置板３０の一方の側部だけで支持する構成であるので、強度を持たせるため、嵌合部６７は、図１１に示すように、肉厚を大きくしてもよい。
【００５６】
実施の形態４の光源装置１６０では、載置板３０の一方の側部だけで支持されるので、図１１に示すように、載置板３０、曲板６１及び嵌合部６７で囲まれた空間と、透光カバー１０の中心側Ｃの空間とは、隙間Ｇにより連通させることができる。これにより、透光カバー１０内の空間を遮る部材はなくなり、透光カバー１０内の空気は自由に透光カバー１０内を移動することができるので、空気の流れにより透光カバー１０内の温度分布が均等になり、透光カバー１０の符号Ｅで示す部分と、符号Ｆで示す部分との温度差を小さくすることができる。
【００５７】
上述の実施の形態では、光源としてＬＥＤモジュールを用いる構成であったが、光源はＬＥＤモジュールに限定されるものではなく、有機ＥＬのような光源であってもよい。
【符号の説明】
【００５８】
１０  透光カバー
１１  内面
１２  突部
１３  挟部
２１  基板
２２  光源
３０  載置板
３１、３３  側板
３２  載置部
３１１  屈曲部
４０  支持部
４１  曲板
４２  側板当接板
４３  嵌込板
４４  仕切板
４７  嵌合板
４５  開口
４６  嵌合孔
５０、６０  支持部
５１、６１  曲板
５２、６２  側板当接板
５７  嵌合板
６７  嵌合部
【図１】
2014050336.tif 000003
【図２】
2014050336.tif 000004
【図３】
2014050336.tif 000005
【図４】
2014050336.tif 000006
【図５】
2014050336.tif 000007
【図６】
2014050336.tif 000008
【図７】
2014050336.tif 000009
【図８】
2014050336.tif 000010
【図９】
2014050336.tif 000011
【図１０】
2014050336.tif 000012
【図１１】
2014050336.tif 000013
【手続補正書】
【提出日】平成27年1月15日(2015.1.15)
【手続補正１】
【補正対象書類名】明細書
【補正対象項目名】０００８
【補正方法】変更
【補正の内容】
【０００８】
本発明に係る光源装置は、光源を実装した基板と、前記基板が載置される載置板と、前記基板及び載置板を内設した筒状の透光カバーとを備える光源装置において、前記透光カバーに装着され、前記載置板と前記透光カバーとの間に間隔を設けるように前記載置板を支持する支持部を備え、前記支持部は、前記光源が位置する中央部が、両端部に対し前記透光カバーの中心方向に突出しており、前記支持部は、前記透光カバーの内面側に位置する曲板と、該曲板及び前記載置板の間の空間を仕切る仕切り板とを有することを特徴とする。
【手続補正２】
【補正対象書類名】明細書
【補正対象項目名】０００９
【補正方法】変更
【補正の内容】
【０００９】
本発明に係る光源装置は、光源を実装した基板と、前記基板が載置される載置板と、前記基板及び載置板を内設した筒状の透光カバーとを備える光源装置において、前記透光カバーに装着され、前記載置板と前記透光カバーとの間に間隔を設けるように前記載置板を支持する支持部を備え、前記載置板は、前記基板の載置部が、該載置部の端部から延設した側部に対し前記透光カバーの中心方向に突出するように前記支持部に支持されており、前記支持部は、前記透光カバーの内面側に位置する曲板と、該曲板及び前記載置板の間の空間を仕切る仕切り板とを有することを特徴とする。
【手続補正３】
【補正対象書類名】明細書
【補正対象項目名】００１０
【補正方法】変更
【補正の内容】
【００１０】
本発明に係る光源装置は、前記載置板は、前記基板が載置される載置部と、該載置部の端部から延設した側部とを有し、前記支持部は、前記側部を前記両端部で支持することを特徴とする。
【手続補正４】
【補正対象書類名】明細書
【補正対象項目名】００１１
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
光源を実装した基板と、前記基板が載置される載置板と、前記基板及び載置板を内設した筒状の透光カバーとを備える光源装置において、
前記透光カバーに装着され、前記載置板と前記透光カバーとの間に間隔を設けるように前記載置板を支持する支持部を備え、
前記支持部は、
前記光源が位置する中央部が、両端部に対し前記透光カバーの中心方向に突出しており、
前記支持部は、
前記透光カバーの内面側に位置する曲板と、
該曲板及び前記載置板の間の空間を仕切る仕切り板とを有することを特徴とする光源装置。
【請求項２】
光源を実装した基板と、前記基板が載置される載置板と、前記基板及び載置板を内設した筒状の透光カバーとを備える光源装置において、
前記透光カバーに装着され、前記載置板と前記透光カバーとの間に間隔を設けるように前記載置板を支持する支持部を備え、
前記載置板は、
前記基板の載置部が、該載置部の端部から延設した側部に対し前記透光カバーの中心方向に突出するように前記支持部に支持されており、
前記支持部は、
前記透光カバーの内面側に位置する曲板と、
該曲板及び前記載置板の間の空間を仕切る仕切り板とを有することを特徴とする光源装置。
【請求項３】
前記載置板は、
前記基板が載置される載置部と、該載置部の端部から延設した側部とを有し、
前記支持部は、
前記側部を前記両端部で支持することを特徴とする請求項１に記載の光源装置。
【請求項４】
前記透光カバーは、
内面に該透光カバーの長手方向に沿って配された突部を備え、
前記曲板は、
前記突部に嵌合する嵌合孔を形成してあることを特徴とする請求項１から請求項３までの何れか１項に記載の光源装置。
【国際調査報告】
2014050336.tif 000014
2014050336.tif 000015
2014050336.tif 000016
2014050336.tif 000017